(57)【要約】【課題】山登りＡＦ方式のみに対応したカメラ本体に対して位相差ＡＦに適した交換レンズを使用する場合に高速なＡＦを行うことが可能なカメラシステム及びこのための変換アダプタを提供すること。【解決手段】変換アダプタ１２１は、アダプタ制御回路１２２と、メインミラー１２３と、ＡＦユニット１２５とを有している。メインミラー１２３は回動可能であってメインミラー１２３がアップ状態であるときにはカメラ本体１０１による山登りＡＦが実行される。メインミラー１２３がダウン状態であるときは変換アダプタによる位相差ＡＦが実行される。【選択図】図５
2010160427.tif 000002
【特許請求の範囲】
【請求項１】
所定の交換レンズに対応したカメラ本体と、上記所定の交換レンズとは装着部の形状及び制御データの仕様の少なくとも何れかが異なる交換レンズと、上記カメラ本体に上記交換レンズを装着するための変換アダプタとを有するカメラシステムであって、
上記交換レンズは、被写体からの光束を導く撮影レンズを具備し、
上記カメラ本体は、
上記交換レンズの上記撮影レンズの焦点調節を行う第１のＡＦ制御部と、
上記被写体を撮像して上記被写体からの光束に基づく画像を得るための撮像素子と、
を具備し、
上記変換アダプタは、
当該変換アダプタに装着される上記交換レンズの上記撮影レンズにより導かれる被写体からの光束を分割する光束分割部と、
上記光束分割部により分割された上記光束の一部に基づいて上記カメラ本体の上記撮像素子上での焦点状態を検出する焦点検出部と、
上記カメラ本体から送信されるＡＦ制御信号に応じて、上記焦点検出部で検出される焦点状態に基づく上記撮影レンズの焦点調節を行う第２のＡＦ制御部と、
上記光束分割部を撮影光路から進退させる光束分割部駆動部と、
を具備することを特徴とするカメラシステム。
【請求項２】
上記光束分割部はハーフミラーであることを特徴とする請求項１に記載のカメラシステム。
【請求項３】
上記カメラ本体は、上記第１のＡＦ制御部により上記撮影レンズの焦点調節を行うための第１のＡＦモードと、上記第２のＡＦ制御部により上記撮影レンズの焦点調節を行うための第２のＡＦモードと、上記第１のＡＦ制御部と上記第２のＡＦ制御部との組み合わせにより上記撮影レンズの焦点調節を行うための第３のＡＦモードとを有し、
上記光束分割部駆動部は、上記第１のＡＦモード又は上記第３のＡＦモード時で且つ上記第１のＡＦ制御部によって上記撮影レンズの焦点調節が実行される期間、及び上記撮影レンズの合焦後の上記カメラ本体の上記撮像素子による撮像中の期間は、上記光束分割部を上記撮影光路から退避させることを特徴とする請求項１に記載のカメラシステム。
【請求項４】
上記カメラ本体は、上記撮像素子によって静止画像を得るための静止画モードと上記撮像素子によって動画像を得るための動画モードとを有し、
上記光束分割部駆動部は、上記静止画モードの場合の上記撮像素子による撮像中の期間は上記光束分割部を上記撮影光路から退避させ、上記動画モードの場合の上記撮像素子による撮像中の期間は上記光束分割部を上記撮影光路に進入させることを特徴とする請求項１に記載のカメラシステム。
【請求項５】
上記第１のＡＦ制御部は山登り制御方式に従って上記撮影レンズの焦点調節を行い、上記第２のＡＦ制御部は位相差方式に従って上記撮影レンズの焦点調節を行うことを特徴とする請求項１に記載のカメラシステム。
【請求項６】
上記変換アダプタは、上記被写体の輝度を測光する測光部と、上記撮影レンズにより導かれる光束に基づく被写体像を視認するための視認部と、上記被写体を照明する照明部と、上記カメラ本体の操作を行うためのスイッチ部と、当該変換アダプタを保持部のうち少なくとも１つを有することを特徴とする請求項１に記載のカメラシステム。
【請求項７】
上記変換アダプタには、当該カメラシステムに電源供給を行う外部電源部と、上記被写体を照明する外部照明部のうちの少なくとも何れかが接続自在であることを特徴とする請求項６に記載のカメラシステム。
【請求項８】
所定の交換レンズに対応したカメラ本体に、上記所定の交換レンズとは装着部の形状及び制御データの仕様の少なくとも何れかが異なる交換レンズを装着するための変換アダプタであって、
当該変換アダプタに装着される上記交換レンズ内の撮影レンズにより導かれる被写体からの光束を分割する光束分割部と、
上記光束分割部により分割された上記光束の一部に基づいて上記カメラ本体内の撮像素子上での焦点状態を検出する焦点検出部と、
カメラ本体の第１のＡＦ制御部とは異なるＡＦ制御部であって、上記カメラ本体から送信されるＡＦ制御信号に応じて上記焦点検出部で検出される焦点状態に基づく上記撮影レンズの焦点調節を行う第２のＡＦ制御部と、
上記光束分割部を撮影光路から進退させる光束分割部駆動部と、
を具備することを特徴とする変換アダプタ。
【発明の詳細な説明】
【技術分野】
【０００１】
本発明は、カメラ本体に仕様の異なる複数種類の交換レンズを装着するための変換アダプタを有するカメラシステム及びそのような変換アダプタに関する。
【背景技術】
【０００２】
近年、映像機器の進歩は著しくなっている。特に、カメラの分野では、画像を撮影する銀塩フィルムが撮像素子に置き換わってきたことを受けて、撮像素子を用いた場合に最適な画像が撮影できるように設計された新たなマウント規格の交換レンズ式のカメラシステムが提案され、既に商品化もされるようになってきている。
【０００３】
新たなマウント規格の交換レンズ式のカメラシステムを使用する場合、通常は、その新たなマウント規格に対応した交換レンズを購入しなければならない。この場合、撮影者が所有していた従来のマウント規格に対応した交換レンズが無駄になってしまうため、撮影者に不満を抱かせてしまう恐れがある。このような事情に鑑みて、新たなマウント規格に対応したカメラ本体に、従来のマウント規格に対応した交換レンズを装着するための変換アダプタが提案されている。しかしながら、変換アダプタを用いることにより交換レンズの装着自体は可能となったとしても、システム間での制御方式の差異等により、自動焦点調節（ＡＦ）や自動露出制御（ＡＥ）等の機能に制約が生じてしまう場合がある。
【０００４】
このような問題を解決する方法として、例えば特許文献１の手法が提案されている。この特許文献１の手法では、カメラ本体側とは制御方式が異なる交換レンズがカメラ本体に装着された場合に、変換アダプタ内でカメラ側の制御信号を交換レンズ用の制御信号に変換するようにしている。
【先行技術文献】
【特許文献】
【０００５】
【特許文献１】特開平４−２７３２２６号公報
【発明の概要】
【発明が解決しようとする課題】
【０００６】
ここで、特許文献１の手法では、カメラ本体側と交換レンズ側とで制御信号の変換を行うことは可能である。しかしながら、特許文献１の手法を用いた場合であっても、ＡＦ方式はカメラ本体側の方式でしか行うことができない。このため、例えば、交換レンズ側のＡＦ方式が撮影レンズの異なる瞳位置を通過した被写体像の位相差を検出してデフォーカス量を求めてからフォーカスレンズを駆動する所謂位相差ＡＦに適したものであっても、カメラ本体側のＡＦ方式が所定間隔でフォーカスレンズを駆動しながら撮像素子によって被写体像の高周波成分を取得して撮影画像のコントラストピークを検出する所謂山登りＡＦのみに対応している場合には、位相差ＡＦを行うことができず、結果、ＡＦの高速化は困難となる。
【０００７】
本発明は、上記の事情に鑑みてなされたものであり、その目的は、山登りＡＦ方式のみに対応したカメラ本体に対して位相差ＡＦに適した交換レンズを使用する場合に高速なＡＦを行うことが可能なカメラシステム及びこのための変換アダプタを提供することにある。
【課題を解決するための手段】
【０００８】
上記の目的を達成するために、本発明の第１の態様のカメラシステムは、所定の交換レンズに対応したカメラ本体と、上記所定の交換レンズとは装着部の形状及び制御データの仕様の少なくとも何れかが異なる交換レンズと、上記カメラ本体に上記交換レンズを装着するための変換アダプタとを有するカメラシステムであって、上記交換レンズは、被写体からの光束を導く撮影レンズを具備し、上記カメラ本体は、上記交換レンズの上記撮影レンズの焦点調節を行う第１のＡＦ制御部と、上記被写体を撮像して上記被写体からの光束に基づく画像を得るための撮像素子とを具備し、上記変換アダプタは、当該変換アダプタに装着される上記交換レンズの上記撮影レンズにより導かれる被写体からの光束を分割する光束分割部と、上記光束分割部により分割された上記光束の一部に基づいて上記カメラ本体の上記撮像素子上での焦点状態を検出する焦点検出部と、上記カメラ本体から送信されるＡＦ制御信号に応じて、上記焦点検出部で検出される焦点状態に基づく上記撮影レンズの焦点調節を行う第２のＡＦ制御部と、上記光束分割部を撮影光路から進退させる光束分割部駆動部とを具備することを特徴とする。
【０００９】
また、上記の目的を達成するために、本発明の第２の態様の変換アダプタは、所定の交換レンズに対応したカメラ本体に、上記所定の交換レンズとは装着部の形状及び制御データの仕様の少なくとも何れかが異なる交換レンズを装着するための変換アダプタであって、当該変換アダプタに装着される上記交換レンズ内の撮影レンズにより導かれる被写体からの光束を分割する光束分割部と、上記光束分割部により分割された上記光束の一部に基づいて上記カメラ本体内の撮像素子上での焦点状態を検出する焦点検出部と、カメラ本体の第１のＡＦ制御部とは異なるＡＦ制御部であって、上記カメラ本体から送信されるＡＦ制御信号に応じて上記焦点検出部で検出される焦点状態に基づく上記撮影レンズの焦点調節を行う第２のＡＦ制御部と、上記光束分割部を撮影光路から進退させる光束分割部駆動部とを具備することを特徴とする。
【発明の効果】
【００１０】
本発明によれば、山登りＡＦ方式のみに対応したカメラ本体に対して位相差ＡＦに適した交換レンズを使用する場合に高速なＡＦを行うことが可能なカメラシステム及びこのための変換アダプタを提供することができる。
【図面の簡単な説明】
【００１１】
【図１】本発明の第１の実施形態に係るカメラシステムの概観図である。
【図２】カメラ本体の撮影画面内における焦点検出エリアについての概略図である。
【図３】図３（ａ）は視野マスクの開口部の一例を示した図であり、図３（ｂ）はセパレータ絞りマスクの一例を示した図であり、図３（ｃ）はセパレータレンズの一例を示した図であり、図３（ｄ）はＡＦセンサの一例を示した図であり、図３（ｅ）は仮想的な撮影レンズを示す図である。
【図４】本発明の第１の実施形態に係るカメラシステムの詳細な構成について示した図である。
【図５】本発明の第２の実施形態に係るカメラシステムの概観図である。
【図６】本発明の第２の実施形態に係るカメラシステムの詳細な構成について示した図である。
【図７】本発明の第３の実施形態に係るカメラシステムの概観図である。
【図８】本発明の第３の実施形態に係るカメラシステムの詳細な構成について示した図である。
【図９】本発明の第４の実施形態に係るカメラシステムの概観図である。
【図１０】本発明の第４の実施形態に係るカメラシステムの詳細な構成について示した図である。
【発明を実施するための形態】
【００１２】
以下、図面を参照して本発明の実施形態を説明する。  
［第１の実施形態］
まず、本発明の第１の実施形態について説明する。図１は、本発明の第１の実施形態に係るカメラシステムの概観図である。図１に示すカメラシステムは、カメラ本体１０１と、交換レンズ１１１と、変換アダプタ１２１とを有している。
【００１３】
カメラ本体１０１は、カメラ制御回路１０２、フォーカルプレンシャッタ１０３、撮像素子１０４、及び表示部１０５を有している。
【００１４】
カメラ制御回路１０２は、カメラ本体１０１内の各ブロックの制御を行う。フォーカルプレンシャッタ１０３は、撮像素子１０４の撮像面に適切な量の光を与えるようにカメラ制御回路１０２により開閉駆動される。フォーカルプレンシャッタ１０３が開いている間は、撮像素子１０４が有する撮像面に被写体からの光束が入射する。撮像素子１０４は、フォトダイオード等の光電変換素子が２次元に配置されてなる撮像面を有し、フォーカルプレンシャッタ１０３を介して入射してきた被写体からの光束を電気信号に変換する。この撮像素子１０４にはＣＣＤセンサやＣＭＯＳセンサ等が用いられる。表示部１０５は、撮像素子１０４で得られた電気信号に基づく画像等の各種の画像を表示する。この表示部１０５は、例えば液晶表示装置等の表示装置である。
【００１５】
交換レンズ１１１は、レンズ制御回路１１２、焦点調節レンズ１１３及びズームレンズ１１４を含む撮影レンズ１１５を有している。ここで、図１に示す交換レンズ１１１は、レンズ装着部の形状と制御データの仕様の少なくとも何れかがカメラ本体１０１の規格と異なる交換レンズである。
【００１６】
レンズ制御回路１１２は、交換レンズ１１１の各ブロックの制御を行う。このレンズ制御回路１１２は、例えば、撮影レンズ１１５の焦点調節レンズ１１３やズームレンズ１１４を光軸方向（図示矢印Ａ方向）に駆動して交換レンズ１１１内の撮影レンズの焦点状態の調節や焦点距離の変更を行う。撮影レンズ１１５は、被写体からの光束をカメラ本体１０１の方向に導くための光学系であり、焦点調節レンズ１１３、ズームレンズ１１４等の複数のレンズから構成されている。焦点調節レンズ１１３は、レンズ制御回路１１２の制御によってその光軸方向に駆動されるレンズである。焦点調節レンズ１１３の位置を調節することによって撮影レンズ１１５の焦点状態が調節される。ズームレンズ１１４は、焦点調節レンズ１１３と同様に、レンズ制御回路１１２の制御によってその光軸方向に駆動されるレンズである。ズームレンズ１１４の位置を調節することにより、画像のズームが行われる。
【００１７】
変換アダプタ１２１は、カメラ本体１０１にレンズ装着部の形状や制御データの仕様が異なる規格の交換レンズ１１１を装着するためのアダプタである。なお、レンズ装着部の形状や制御データの仕様がカメラ本体１０１の規格と同じ交換レンズであれば変換アダプタ１２１を介さずに交換レンズをカメラ本体１０１に装着可能である。
【００１８】
変換アダプタ１２１は、アダプタ制御回路１２２、メインミラー１２３、全反射ミラー１２４、及び焦点検出ユニット（以下、ＡＦユニットと称する）１２５を有している。
【００１９】
アダプタ制御回路１２２は、変換アダプタ１２１の各ブロックの制御を行う。また、アダプタ制御回路１２２は、カメラ本体１０１からの制御信号を交換レンズ１１１が対応している規格に従った形式の制御信号に変換して交換レンズ１１１に送信するとともに、交換レンズ１１１からの各種データをカメラ本体１０１が対応している規格に従った形式のデータに変換してカメラ本体１０１に送信する。さらに、アダプタ制御回路１２２は、ＡＦユニット１２５で検出された光束に基づく被写体像からデフォーカス量を求め、この求めたデフォーカス量を交換レンズ１１１に送信する。
【００２０】
メインミラー１２３はハーフミラーで構成されており、被写体からの光束の一部を透過させ、一部を反射させる。これによって被写体からの光束を撮像素子１０４の方向と全反射ミラー１２４の方向に分割する。全反射ミラー１２４は、メインミラー１２３で反射された被写体からの光束をＡＦユニット１２５の方向に反射させる。
【００２１】
ＡＦユニット１２５は、全反射ミラー１２４によって導かれた光束に基づき、焦点状態を検出する。このＡＦユニット１２５は、視野マスク１２６、コンデンサレンズ１２７、赤外カットフィルタ１２８、セパレータ絞りマスク１２９、セパレータレンズ１３０、及び焦点検出センサ（以下、ＡＦセンサと称する）１３１を含んでいる。
【００２２】
図２は、カメラ本体１０１の撮影画面内における焦点検出エリアについての概略図である。本実施形態におけるＡＦユニット１２５は、例として撮影画面内の１１点の焦点検出エリアに対応した焦点状態を検出可能になされている。このようなＡＦユニット１２５を用いた場合、カメラ本体１０１に搭載されている表示部１０５や不図示の電子ビューファインダ（ＥＶＦ等）には、ＡＦセンサ１３１が焦点状態を検出可能な１１点の焦点検出エリアに対応した焦点検出エリアマーク２０１が表示される。このような表示によりカメラの撮影者（以下、単に撮影者と称する）は撮影画面内の焦点検出エリアを視覚的に認識することが可能である。
【００２３】
以下、ＡＦユニット１２５の構成について説明する。ここで、詳細は以下に説明するが、本実施形態におけるＡＦユニット１２５は、例として、図２に示した１１点の焦点検出エリアのそれぞれで撮影画面内の水平方向と垂直方向の２方向から焦点状態を検出可能なＡＦセンサユニットであるとする。
【００２４】
視野マスク１２６は、全反射ミラー１２４を介して得られる光束を絞り込むための開口部を有している。図３（ａ）は、視野マスク１２６の開口部１２６ａの一例を示した図である。コンデンサレンズ１２７は、視野マスク１２６を通過した光を集光するためのレンズである。コンデンサレンズ１２７は、視野マスク１２６の開口部１２６ａの位置に対応して配置される。
【００２５】
赤外カットフィルタ１２８は、焦点検出に有害な赤外光成分をカットするためのフィルタである。セパレータ絞りマスク１２９は、赤外カットフィルタ１２８を介して入射してきた光束を絞るためのものである。例えば、本実施形態におけるＡＦユニット１２５の場合、セパレータ絞りマスク１２９は、図３（ｂ）に示すような４つの開口部１２９ａ、１２９ｂ、１２４ｃ、１２４ｄを有して構成されている。セパレータレンズ１３０は、セパレータ絞りマスク１２９を介して得られる光束をＡＦセンサ１３１上に再結像させるものである。このセパレータレンズ１３０は、図３（ｃ）に示すように、セパレータ絞りマスク１２９の各開口部の位置に対応した４つのセパレータレンズ１３０ａ、１３０ｂ、１３０ｃ、１３０ｄで構成されている。
【００２６】
ＡＦセンサ１３１は、セパレータレンズ１３０を介して受光された光束の光強度分布に対応した光強度信号（被写体像データ）を得る光電変換素子列である。例えば、本実施形態のＡＦユニット１２５の場合、ＡＦセンサ１３１は、図３（ｄ）に示すような４つのフォトダイオードアレイ部１３１ａ、１３１ｂ、１３１ｃ、１３１ｄを有して構成されている。図３（ｄ）に示す４つのフォトダイオードアレイ部のうち、フォトダイオードアレイ部１３１ａ、１３１ｂは撮影画面の水平方向に対応する方向の並びに配置され、他の２つのフォトダイオードアレイ部１３１ｃ、１３１ｄは撮影画面の垂直方向に対応する方向の並びに配置されている。このような構成により、ＡＦセンサ１３１は、１つの焦点検出エリア内で水平及び垂直方向の被写体像データを検出可能な所謂クロスセンサタイプの構成となる。
【００２７】
図３（ｅ）は、焦点調節レンズ１１３やズームレンズ１１４を合成した仮想的な撮影レンズ１１５を示す図である。本実施形態においては、図３（ｅ）に示す交換レンズ１１１の射出瞳位置の領域１１５ａ、１１５ｂを通過した光束の対がＡＦセンサ１３１のフォトダイオードアレイ部１３１ａ、１３１ｂでそれぞれ受光され、領域１１５ｃ、１１５ｄを通過した光束の対がＡＦセンサ１３１のフォトダイオードアレイ部１３１ｃ、１３１ｄでそれぞれ受光される。それぞれのフォトダイオードアレイ部で得られた対をなす被写体像データを用いて焦点検出の一方式であるＴＴＬ（Through The Lens）位相差方式による焦点検出が行われる。
【００２８】
次に、本発明の第１の実施形態に係るカメラシステムについて図４を参照してさらに説明する。図４は、本発明の第１の実施形態に係るカメラシステムの詳細な構成について示した図である。なお、図４においては図１に示す一部の構成の図示を省略している。
【００２９】
まず、カメラ本体１０１に関する構成について説明する。カメラ本体１０１のカメラ制御回路１０２は、カメラ全体の制御を司る本体ＣＰＵ１４１を有している。そして、この本体ＣＰＵ１４１には、フラッシュＲＯＭ（ＦＲＯＭ）１４２、ＲＡＭ１４３、撮像素子制御回路１４４、ストロボ制御回路１４５、シャッタ制御回路１４６、画像処理回路１４７、表示回路１４８、操作スイッチ検出回路１４９、電源回路１５０、及び通信ライン１５４が接続されている。
【００３０】
ＦＲＯＭ１４２は、本体ＣＰＵ１４１が各種のシーケンスを実行するために必要なプログラムや各種のシーケンスを実行する際に必要となる設定値等が格納されたメモリである。ＲＡＭ１４３は、本体ＣＰＵ１４１における各種の処理情報を一時格納するためのメモリである。撮像素子制御回路１４４は、本体ＣＰＵ１４１の制御の下、撮像素子１０４の動作を制御するとともに、撮像素子１０４で得られる電気信号を読み出してデジタルの画像データを生成する。ストロボ制御回路１４５は、本体ＣＰＵ１４１の制御の下、図示しないストロボ装置における充電動作及び発光動作の制御を行う。シャッタ制御回路１４６は、本体ＣＰＵ１４１の制御の下、フォーカルプレンシャッタ１０３の開閉動作を制御する。画像処理回路１４７は、撮像素子制御回路１４４で得られた画像データを画像処理する。表示回路１４８は、本体ＣＰＵ１４１の制御の下、撮影により得られた画像データに基づく画像や各種撮影情報を表示部１０５に表示させる。
【００３１】
操作スイッチ検出回路１４９は、撮影者が操作する各種操作スイッチが接続され、各種操作スイッチの操作状態を示す信号を本体ＣＰＵ１４１に出力する。ここで、操作スイッチ検出回路１４９に接続されるスイッチは、例えば、カメラの撮影モードを切り替える切り替えスイッチや、レリーズボタンの操作によって動作するレリーズスイッチ、カメラシステムのフォーカスモードをオートフォーカスモードとマニュアルフォーカスモードとの間で切り替える切り替えスイッチ等を含む。図４には、レリーズスイッチのみを示している。本実施形態におけるレリーズスイッチは、一般的な２段階スイッチになっている。つまり、レリーズボタンの半押しで第１レリーズスイッチ１５１（以下、１Ｒスイッチと称する）がオンする。１Ｒスイッチ１５１のオンが操作スイッチ検出回路１４９によって検出されると、本体ＣＰＵ１４１は、ＡＦ制御やＡＥ制御等の撮影準備のシーケンスを実行する。また、レリーズボタンの全押しで第２レリーズスイッチ１５２（以下、２Ｒスイッチと称する）がオンする。２Ｒスイッチ１５２のオンが操作スイッチ検出回路１４９によって検出されると、本体ＣＰＵ１４１は、シャッタ制御回路１４６を制御してフォーカルプレンシャッタ１０３を駆動して撮像素子１０４の露光を行う。
【００３２】
電源回路１５０は、カメラ本体１０１の電源である電池１５３の電圧の平滑化や昇圧等を行った後、カメラ本体１０１の各ブロックに電源を供給する。通信ライン１５４は、カメラ本体１０１の本体ＣＰＵ１４１が変換アダプタ１２１のアダプタＣＰＵ１７１との間で通信を行うための通信ラインである。
【００３３】
次に、交換レンズ１１１に関する構成について説明する。図４に示すように交換レンズ１１１の外部にはズーム駆動用回転環１６６及びマニュアルフォーカス（ＭＦ）用回転環１６７が配置されている。ズーム駆動用回転環１６６は、交換レンズ１１１の外周を取り巻くようにリング状に設けられた操作部であって、撮影者がズームレンズ１１４の位置を調節するための操作部である。撮影者は、ズーム駆動用回転環１６６をズームレンズ１１４の光軸中心に回転させることによって、ズームレンズ１１４を光軸方向に駆動させて、撮影レンズ１１５の焦点距離を変更することができる。また、ＭＦ用回転環１６７は、交換レンズ１１１の外周を取り巻くようにリング状に設けられた操作部であって、撮影者が手動で焦点調節レンズ１１３の位置を調節するための操作部である。撮影者は、ＭＦ用回転環１６７を焦点調節レンズ１１３の光軸中心に回転させると、それに連動して、焦点調節レンズ１１３が光軸方向に駆動する。これにより、撮影レンズ１１５の焦点位置を手動で調節することができる。なお、ＭＦ用回転環１６７は、撮影者がオートフォーカスモードとマニュアルフォーカスモードとを切り替える切り替えスイッチを操作して、マニュアルフォーカスモードを選択した場合に使用されるものである。
【００３４】
さらに、図４に示すように、交換レンズ１１１のレンズ制御回路１１２は、交換レンズ１１１の全体の制御を司るレンズＣＰＵ（以下、ＬＣＰＵと称する）１６１を有している。そして、このＬＣＰＵ１６１には、ズーム位置検出回路１６２、絞り駆動回路１６３、レンズ駆動回路１６４、レンズ位置検出回路１６５、及び通信回路１６９が接続されている。
【００３５】
ズーム位置検出回路１６２は、ズーム駆動用回転環１６６を介して駆動されたズームレンズ１１４の位置を検出し、検出したズームレンズ１１４の位置をＬＣＰＵ１６１に出力する。ＬＣＰＵ１６１は、ズーム位置検出回路１６２によって検出されたズームレンズ１１４の位置に基づいて、撮影レンズ１１５の焦点距離情報を得る。
【００３６】
絞り駆動回路１６３は、ＬＣＰＵ１６１の制御の下、撮影レンズ１１５中に配置される絞り１６８の開閉駆動を行う。絞り１６８は、カメラ本体１０１方向に入射する光の量を調節するための開口部を含んで構成されている。絞り１６８の開口部の大きさを変化させることで、適切な光量の光がカメラ本体１０１方向に入射する。
【００３７】
レンズ駆動回路１６４は、モータ等を含んで構成され、ＬＣＰＵ１６１の制御の下、焦点調節レンズ１１３をその光軸方向に駆動させる。なお、レンズ駆動回路１６４は、撮影者がオートフォーカスモードとマニュアルフォーカスモードとを切り替える切り替えスイッチを操作して、オートフォーカスモードを選択した場合に使用されるものである。レンズ位置検出回路１６５は、焦点調節レンズ１１３の位置を検出して、検出した位置をＬＣＰＵ１６１に出力する。このレンズ位置検出回路１６５は、例えばレンズ駆動回路１６４に含まれる駆動用モータの回転量をパルス数に変換して検出するフォトインタラプタ（ＰＩ）回路等を含んで構成されている。フォトインタラプタ回路では、焦点調節レンズ１１３からの絶対位置が、ある基準位置からのパルス数で表される。ＬＣＰＵ１６１は、レンズ位置検出回路１６５によって検出されたレンズ位置に基づいて、撮影レンズ１１５の焦点状態情報を得る。
【００３８】
通信回路１６９は、絞り１６８の駆動量や撮影レンズ１１５のデフォーカス量等のデータを変換アダプタ１２１に送信したり、変換アダプタ１２１からＡＦ制御信号を受信したりするための通信回路である。この通信回路１６９の通信接続端子は交換レンズ１１１の外部に設けられている。
【００３９】
続いて、変換アダプタ１２１に関する構成について説明する。変換アダプタ１２１のアダプタ制御回路１２２は、変換アダプタ１２１の制御を司るアダプタＣＰＵ１７１を有している。このアダプタＣＰＵ１７１は、カメラ本体１０１の本体ＣＰＵ１４１から送信される交換レンズ１１１の絞り制御信号等が通信回路１７５を介して受信された場合には、受信された信号をカメラ本体１０１に装着される交換レンズ１１１の規格に合った信号に変換した後、通信ライン１７６を介して変換後の信号を交換レンズ１１１に送信する。また、アダプタＣＰＵ１７１は、交換レンズ１１１から焦点距離や絞り値等のデータが通信ライン１７６を介して受信された場合には、受信されたデータをカメラ本体１０１の規格に合ったデータ形式に変換した後、通信回路１７５を介してデータ形式の変換後のデータを本体ＣＰＵ１４１に送信する。
【００４０】
さらに、アダプタＣＰＵ１７１は、本体ＣＰＵ１４１から送信されるレリーズスイッチの状態情報に応じてＡＦ制御を行う。この際、アダプタＣＰＵ１７１は焦点検出回路１７２より得られた位相差データから撮影レンズ１１５のデフォーカス量を算出する。
【００４１】
また、アダプタＣＰＵ１７１には、焦点検出回路１７２、フラッシュＲＯＭ（ＦＲＯＭ）１７３、ＲＡＭ１７４、通信回路１７５、及び通信ライン１７６が接続されている。
【００４２】
焦点検出回路１７２は、ＡＦセンサ１３１で検出された撮影レンズ１１５の異なる瞳位置を通過した光束に基づく被写体像データから、撮像素子１０４の撮像面上での焦点状態に対応した情報としての位相差データを算出する。
【００４３】
ＦＲＯＭ１７３は、アダプタＣＰＵ１７１が各種のシーケンスを実行するために必要なプログラムや各種のシーケンスを実行する際に必要な各種の設定値等が格納されている。ＲＡＭ１７４は、アダプタＣＰＵ１７１で処理された各種のデータを一時格納するためのメモリである。
【００４４】
通信回路１７５は、変換アダプタ１２１のアダプタＣＰＵ１７１がカメラ本体１０１の本体ＣＰＵ１４１との間で通信を行うための通信回路である。この通信回路１７５の通信接続端子は変換アダプタ１２１の外部に設けられている。通信ライン１７６は、変換アダプタ１２１のアダプタＣＰＵ１７１が交換レンズ１１１のＬＣＰＵ１６１との間で通信を行うための通信ラインである。
【００４５】
次に、本実施形態のカメラシステムの動作における、ＡＦ制御について特に説明する。本実施形態におけるカメラ本体１０１は、位相差ＡＦ方式には対応していないものを想定している。したがって、本実施形態におけるＡＦ制御において、位相差ＡＦは変換アダプタ１２１を介して交換レンズ１１１がカメラ本体１０１に装着された場合にのみ行われる。変換アダプタ１２１を介さずに交換レンズ１１１がカメラ本体１０１に装着された場合には位相差ＡＦではなく山登りＡＦが実行される。
【００４６】
ここで、第１の実施形態においては山登りＡＦについての説明は省略し、以下の説明においては、変換アダプタ１２１が装着された場合の位相差ＡＦの制御についてのみ説明する。
【００４７】
まず、１Ｒスイッチ１５１がオンされたことが操作スイッチ検出回路１４９を介して検出された場合に、本体ＣＰＵ１４１は、通信ライン１５４を介してＡＦ開始信号を変換アダプタ１２１の通信回路１７５に送信する。
【００４８】
アダプタＣＰＵ１７１は通信回路１７５を介してＡＦ開始信号を受信すると、焦点検出回路１７２にＡＦ制御信号を送信する。ＡＦ制御信号を受信すると、焦点検出回路１７２は、ＡＦセンサ１３１の駆動を開始する。その後、焦点検出回路１７２は、ＡＦセンサ１３１から対をなして出力される被写体像データに基づき、対をなす被写体像データの間の位相差データを算出する。なお、位相差データの算出は、従来周知の相関演算法を用いれば良い。
【００４９】
焦点検出回路１７２において位相差データが算出された後、アダプタＣＰＵ１７１は、ＦＲＯＭ１７３に格納されている変換係数やパラメータを用いて位相差データに像面位置補正や温度補正等の各種補正を施してデフォーカス量を算出する。その後、アダプタＣＰＵ１７１は、通信ライン１７６を介して交換レンズ１１１の規格に合わせたデータ形式で算出したデフォーカス量を通信回路１６９に送信する。
【００５０】
ここで、像面位置補正について説明する。像面位置補正とは、カメラ本体１０１と変換アダプタ１２１とのそれぞれの固体ばらつきにより発生する、カメラ本体１０１の撮像素子１０４が有する実際の撮像面と変換アダプタ１２１で想定している仮想の撮像面（メインミラー１２３で反射された光束が一次結像する面）との位置ずれを補正するものである。本実施形態の場合、変換アダプタ１２１で検出されるデフォーカス量は仮想の撮像面を基準に求められるものである。したがって、像面位置補正を行わない状態では、実際の撮像面と仮想の撮像面との像面位置ずれが大きいと撮影した画像がピンボケとなってしまう。このため、像面位置補正を行う必要が生じる。ただし、通常は、カメラ本体１０１と変換アダプタ１２１とは全く別の製造工程で製造されるので、製造過程でカメラ本体１０１と変換アダプタ１２１との間の像面位置ずれを調整することは困難である。よって、カメラ本体１０１又は変換アダプタ１２１を撮影者が操作することにより像面位置補正値を任意に変換アダプタ１２１のＦＲＯＭ１７３に設定きるようにしておき、設定された補正値を用いて像面位置補正を行うことが望ましい。
【００５１】
ここで、再び位相差ＡＦの説明に戻る。ＬＣＰＵ１６１は、通信回路１６９を介してデフォーカス量を受信すると、レンズ駆動回路１６４とレンズ位置検出回路１６５を制御してデフォーカス量が無くなるような合焦位置に焦点調節レンズ１１３を移動させる。焦点調節レンズ１１３の駆動制御が終了すると、ＬＣＰＵ１６１は通信回路１６９を介してアダプタＣＰＵ１７１にレンズ駆動終了信号を送信する。
【００５２】
アダプタＣＰＵ１７１は、レンズ駆動終了信号を受信すると、再度焦点検出動作を行ってデフォーカスを算出する。デフォーカス量が所定の合焦範囲（例えば、±０．０３ｍｍ以内）でない場合は、再検出したデフォーカス量をＬＣＰＵ１６１に送信して交換レンズ１１１に再度レンズ駆動動作を実行させる。デフォーカス量が合焦範囲以内である場合には、本体ＣＰＵ１４１に通信回路１７５を介してカメラ本体１０１の規格に合わせたデータ形式でＡＦ終了信号を送信する。
【００５３】
本体ＣＰＵ１４１は通信ライン１５４を介してＡＦ終了信号を受信すると、表示回路１４８により合焦表示を行う。これによってＡＦ制御が終了する。この状態で２Ｒスイッチ１５２がオンされたことが操作スイッチ検出回路１４９を介して検出されると、本体ＣＰＵ１４１は、撮像素子制御回路１４４により撮像素子１０４を制御して撮像を行い、撮像により得られた画像データに対して画像処理回路１４７で補正処理や圧縮処理等を施し、処理後の画像データをＲＡＭ１４３や図示しない外部メディアに記憶させる。
【００５４】
以上説明したように、第１の実施形態によれば、変換アダプタ１２１に位相差ＡＦを実行するための機構を設けておくことにより、カメラ本体１０１が位相差ＡＦを実行できなくとも位相差ＡＦを実行することができ、結果、高速なＡＦを行うことが可能である。
【００５５】
また、一眼レフレックスカメラであれば光学ファインダを利用するためにメインミラーを可動式とする必要があるが、変換アダプタ１２１には光学ファインダが無くても良いため、メインミラーを単にハーフミラーとするだけで位相差ＡＦを実行することができる。これによって構成の簡略化を図ることが可能である。
【００５６】
さらに、焦点検出回路１７２で算出された位相差データに対して像面位置補正等の補正を施すことにより、カメラ本体１０１と変換アダプタ１２１との固体ばらつきに起因する誤差も含めたＡＦ制御を実行することが可能である。
【００５７】
［第２の実施形態］
次に、本発明の第２の態様について説明する。図５は、本発明の第２の実施形態に係るカメラシステムの概観図である。なお、図５において、カメラ本体１０１と交換レンズ１１１については、上述の第１の実施形態と同様の構成であるのでここでの説明は省略する。
【００５８】
第２の実施形態における変換アダプタ１２１は、アダプタ制御回路１２２、メインミラー１２３、全反射ミラー１２４、及びＡＦユニット１２５を有している。なお、ＡＦユニット１２５は、上述の第１の実施形態と同様の構成であるのでここでの説明は省略する。
【００５９】
アダプタ制御回路１２２は、カメラ本体１０１と交換レンズ１１１と間での通信データの変換、及びデフォーカス量の算出を第１の実施形態と同様に行う。さらに、本実施形態におけるアダプタ制御回路１２２は、メインミラー１２３の駆動制御を行う。
【００６０】
メインミラー１２３は、ハーフミラーで構成されており、被写体からの光束の一部を透過させ、一部を反射させる。ここで、本実施形態におけるメインミラー１２３は図中の矢印で示す方向に回動可能な構成となっている。メインミラー１２３が被写体からの光束の光路中に挿入されているダウン状態の場合には、メインミラー１２３を透過した被写体からの光束は撮像素子１０４が有する撮像面に入射し、メインミラー１２３で反射された光束はＡＦユニット１２５に導かれる。一方、メインミラー１２３が被写体からの光束の光路から退避しているアップ状態の場合には、被写体からの全ての光束が、撮像素子１０４が有する撮像面に入射する。
【００６１】
次に、本発明の第２の実施形態に係るカメラシステムについて図６を参照してさらに説明する。図６は、本発明の第２の実施形態に係るカメラシステムの詳細な構成について示した図である。
【００６２】
変換アダプタ１２１のアダプタ制御回路１２２は、第２のＡＦ制御部としての機能も有し変換アダプタ１２１の制御を司るアダプタＣＰＵ１７１を有している。そして、第２の実施形態のアダプタＣＰＵ１７１には、ＡＦセンサ１３１とともに焦点検出部の機能を有する焦点検出回路１７２、フラッシュＲＯＭ（ＦＲＯＭ）１７３、ＲＡＭ１７４、通信回路１７５、通信ライン１７６、及びミラー制御回路１７７が接続されている。ここで、ミラー制御回路１７７以外のブロックは第１の実施形態で説明したものと同様であるので説明は省略する。
【００６３】
光束分割部駆動部としての機能を有するミラー制御回路１７７は、アダプタＣＰＵ１７１の制御の下、光束分割部としての機能を有するメインミラー１２３の駆動を行う。メインミラー１２３を被写体からの光束の光路中に挿入するダウン状態とすることで、被写体からの光束が撮像素子１０４へ向かう方向とＡＦユニット１２５に向かう方向とに分割される。一方、メインミラー１２３を被写体からの光束の光路から退避させるアップ状態とすることで、被写体からの光束が撮像素子１０４のみに入射する。このような切り替えは、カメラ本体１０１の動作状態に従って行われる。
【００６４】
次に、本実施形態のカメラシステムの動作における、ＡＦ制御に関して特に説明する。まず、カメラ本体１０１で山登りＡＦを行う山登りＡＦモード（第１のＡＦモード）と、変換アダプタ１２１で位相差ＡＦを行う位相差ＡＦモード（第２のＡＦモード）と、カメラ本体１０１での山登りＡＦと変換アダプタでの位相差ＡＦを組み合わせたハイブリッドＡＦモード（第３のＡＦモード）が選択可能な場合について説明する。これらのＡＦモードは、例えば撮影者が操作スイッチ検出回路１４９に接続された図示しないＡＦモード切り替えスイッチを操作することによって切り替えることができるものとする。
【００６５】
カメラ本体１０１のＡＦモードが山登りＡＦモードに設定されている状態で、１Ｒスイッチ１５１がオンされたことが操作スイッチ検出回路１４９を介して検出されると、本体ＣＰＵ１４１は、アダプタＣＰＵ１７１にミラー駆動制御信号を送信してメインミラー１２３をアップ状態とするとともに、シャッタ制御回路１４６を制御してフォーカルプレンシャッタ１０３を開く。続いて、本体ＣＰＵ１４１は、アダプタＣＰＵ１７１を介してＬＣＰＵ１６１に所定間隔でレンズ駆動制御信号を送信しながら撮像素子制御回路１４４により撮像素子１０４を制御して複数回の撮像を行う。そして、本体ＣＰＵ１４１は、複数回の撮像のそれぞれで撮像素子制御回路１４４から出力される画像データに対し、画像処理回路１４７により所定のフィルタ処理を施すことで画像データ中の高周波成分を抽出してＡＦ評価値を求める。さらに、本体ＣＰＵ１４１は、時系列的に求められるＡＦ評価値が最大となる焦点調節レンズ１１３の位置を検出し、この位置を合焦位置として焦点調節レンズ１１３を合焦位置に移動させる。このような制御によって撮影レンズ１１５が合焦状態となるので、本体ＣＰＵ１４１は、表示回路１４８を制御して表示部１０５に合焦表示を行う。この状態で２Ｒスイッチ１５２がオンされたことが操作スイッチ検出回路１４９を介して検出されると、本体ＣＰＵ１４１は、撮像素子制御回路１４４により撮像素子１０４を制御して撮像を行い、撮像により得られた画像データに対して画像処理回路１４７で補正処理や圧縮処理等を施した後、処理後の画像データをＲＡＭ１４３や外部メディアに記憶させる。
【００６６】
また、カメラ本体１０１のＡＦモードが位相差ＡＦモードに設定されている状態で、１Ｒスイッチ１５１がオンされたことが操作スイッチ検出回路１４９を介して検出されると、本体ＣＰＵ１４１は、メインミラー１２３をダウン状態とするとともに、通信ライン１５４を介してＡＦ開始信号を変換アダプタ１２１の通信回路１７５に送信する。以後は、上述の第１の実施形態で説明したのと同様にして位相差ＡＦが行われる。
【００６７】
アダプタＣＰＵ１７１からのＡＦ終了信号が受信された後に、２Ｒスイッチ１５２がオンされたことが操作スイッチ検出回路１４９を介して検出されると、本体ＣＰＵ１４１は、ミラー制御回路１７７によりメインミラー１２３をアップ状態とした後、撮像素子制御回路１４４により撮像素子１０４を制御して撮像を行い、撮像により得られた画像データに対して画像処理回路１４７で補正処理や圧縮処理等を施した後、処理後の画像データをＲＡＭ１４３や外部メディアに記憶させる。なお、ここではメインミラー１２３をアップ状態としたが、メインミラー１２３をダウン状態としたまま画像の記憶を行えるようにしても良い。さらには、カメラ本体１０１での設定で撮影時のメインミラー１２３の状態を切り替えられるようにしても良い。
【００６８】
また、カメラ本体１０１のＡＦモードがハイブリッドＡＦモードに設定されている状態で、１Ｒスイッチ１５１がオンされたことが操作スイッチ検出回路１４９を介して検出されると、本体ＣＰＵ１４１は、まず、位相差ＡＦモードと同様の位相差ＡＦを行うべく、変換アダプタ１２１のアダプタＣＰＵ１７１にＡＦ制御信号を出力する。
【００６９】
位相差ＡＦが終了してアダプタＣＰＵ１７１からのＡＦ終了信号が受信された後に、本体ＣＰＵ１４１は、メインミラー１２３をアップ状態とし、焦点調節レンズ１１３の駆動範囲を合焦位置付近に限定して山登りＡＦを行う。この山登りＡＦによる撮影レンズ１１５の合焦後、２Ｒスイッチ１５２がオンされたことが操作スイッチ検出回路１４９を介して検出されると、本体ＣＰＵ１４１は、撮像素子制御回路１４４により撮像素子１０４を制御して撮像を行い、撮像により得られた画像データに対して画像処理回路１４７で補正処理や圧縮処理等を施した後、処理後の画像データをＲＡＭ１４３や外部メディアに記憶させる。
【００７０】
なお、ハイブリッドＡＦモードにおいては、必ずしも位相差ＡＦ時に撮影レンズ１１５を合焦状態としてから山登りＡＦを実行する必要はなく、焦点調節レンズ１１３の位置が撮影レンズ１１５を合焦状態と見なせる所定範囲内に達した時点でＬＣＰＵ１６１がＡＦ終了信号を出力するようにして、その後に山登りＡＦが実行されるようにしても良い。また、山登りＡＦの実行タイミングや撮影時のメインミラー１２３の状態も位相差ＡＦモードの場合と同様にカメラ本体１０１の設定で切り替えられるようにしても良い。
【００７１】
次に、カメラ本体１０１で静止画撮影を行う静止画モードと動画撮影を行う動画モードが選択可能な場合について説明する。静止画モードと動画モードの切り替えも、例えば撮影者が操作スイッチ検出回路１４９に接続された図示しない撮影モード切り替えスイッチを操作することによって切り替えることができるものとする。
【００７２】
カメラ本体１０１の撮影モードが静止画モードに設定されている状態で、１Ｒスイッチ１５１がオンされたことが操作スイッチ検出回路１４９を介して検出されると、本体ＣＰＵ１４１はメインミラー１２３をダウン状態とした後、第１の実施形態で説明したのと同様の位相差ＡＦを行うべく、変換アダプタ１２１のアダプタＣＰＵ１７１にＡＦ制御信号を出力する。
【００７３】
位相差ＡＦが終了してアダプタＣＰＵ１７１からのＡＦ終了信号を受信した後に、２Ｒスイッチ１５２がオンされたことが操作スイッチ検出回路１４９を介して検出されると、本体ＣＰＵ１４１は、ミラー制御回路１７７によりメインミラー１２３をアップ状態とした後、撮像素子制御回路１４４により撮像素子１０４を制御して撮像を行い、撮像により得られた画像データに対して画像処理回路１４７で補正処理や圧縮処理等を施した後、処理後の画像データをＲＡＭ１４３や外部メディアに記憶させる。なお、この場合においても、撮影時のメインミラー１２３の状態はカメラ本体１０１の設定で切り替えられるようにしても良い。
【００７４】
また、カメラ本体１０１の撮影モードが動画モードに設定されている状態で、１Ｒスイッチ１５１がオンされたことが操作スイッチ検出回路１４９を介して検出されると、本体ＣＰＵ１４１は、メインミラー１２３をダウン状態とし、その後、変換アダプタ１２１のアダプタＣＰＵ１７１にＡＦ制御信号を出力する。
【００７５】
アダプタＣＰＵ１７１からのＡＦ終了信号を受信した後に、２Ｒスイッチ１５２がオンされたことが操作スイッチ検出回路１４９を介して検出されると、本体ＣＰＵ１４１は、ミラー制御回路１７７によりメインミラー１２３をダウン状態としたまま、撮像素子制御回路１４４により撮像素子１０４を制御して撮像を行い、撮像により得られた画像データに対して画像処理回路１４７で補正処理や圧縮処理等を施した後、処理後の画像データをＲＡＭ１４３や外部メディアに記憶させる。なお、動画撮影時においては、画像データの記憶後に、再び本体ＣＰＵ１４１からＡＦ制御信号が出力され、撮影中も継続的に位相差ＡＦが実行される。
【００７６】
以上の第２の実施形態で説明したような変換アダプタを用いることにより、ハーフミラーからなるメインミラー１２３をアップ状態としたときには山登りＡＦによる高精度のＡＦ制御を行うことができるとともに撮影画像の画質も向上させることができる。一方、メインミラー１２３をダウン状態としたときには位相差ＡＦによる高速のＡＦ制御と撮影を行うことができる。これらの特徴を、カメラ本体１０１のＡＦモードや撮影モードに合わせて選択することで、動作速度やＡＦ精度を最適化できるカメラシステムを提供できる。
【００７７】
［第３の実施形態］
次に、本発明の第３の実施形態について説明する。図７は、本発明の第３の実施形態に係るカメラシステムの概観図である。なお、図７において、カメラ本体１０１と交換レンズ１１１については、上述の第１の実施形態と同様の構成であるのでここでの説明は省略する。
【００７８】
第３の実施形態における変換アダプタ１２１は、アダプタ制御回路１２２、全反射ミラー１２４、ＡＦユニット１２５、メインミラー１２３、サブミラー１３２、スクリーンマット１３３、ファインダ光学系１３４、接眼レンズ１３５、測光センサ（以下、ＡＥセンサと称する）１３６、及びストロボ１３７を有している。ここで、ＡＦユニット１２５は、上述の第１の実施形態と同様の構成であるのでここでの説明は省略する。
【００７９】
アダプタ制御回路１２２は、カメラ本体１０１と交換レンズ１１１と間での通信データの変換、及びデフォーカス量の算出を第１の実施形態と同様に行う。さらに、本実施形態におけるアダプタ制御回路１２２は、メインミラー１２３、ＡＥセンサ１３６、及びストロボ１３７の駆動制御を行う。
【００８０】
メインミラー１２３は、ハーフミラーで構成されており、被写体からの光束の一部を透過させ、一部を反射させる。ここで、本実施形態におけるメインミラーは図中の矢印で示す方向に回動可能な構成となっている。撮像素子１０４の撮像時以外では、メインミラー１２３はダウン状態となっている。このとき、メインミラー１２３を透過した被写体からの光束は、サブミラー１３２、全反射ミラー１２４によって反射されてＡＦユニット１２５に導かれる。一方、メインミラー１２３で反射された被写体からの光束は、スクリーンマット１３３で像を結ぶ。この像は、ファインダ光学系１３４を介して接眼レンズ１３５とＡＥセンサ１３６に入射する。撮影者は、接眼レンズ１３５を覗くことによって、撮影範囲や被写体の焦点状態などを知ることができる。なお、スクリーンマット１３３、ファインダ光学系１３４、接眼レンズ１３５によって視認部の機能が実現される。
【００８１】
照明部としての機能を有するストロボ１３７はストロボ発光部及び充電部を有しており、アダプタ制御回路１２２からの制御に従って、被写体に向けて発光を行う。
【００８２】
次に、本発明の第３の実施形態に係るカメラシステムについて図８を参照してさらに説明する。図８は、本発明の第３の実施形態に係るカメラシステムの詳細な構成について示した図である。
【００８３】
第１の実施形態と同様に、変換アダプタ１２１のアダプタ制御回路１２２は、変換アダプタ１２１の制御を司るアダプタＣＰＵ１７１を有している。そして、第３の実施形態のアダプタＣＰＵ１７１には、焦点検出回路１７２、フラッシュＲＯＭ（ＦＲＯＭ）１７３、ＲＡＭ１７４、通信回路１７５、通信ライン１７６、ミラー制御回路１７７、測光回路１７８、及びストロボ制御回路１７９が接続されている。ここで、ミラー制御回路１７７、測光回路１７８、ストロボ制御回路１７９以外のブロックは第１の実施形態で説明したものと同様であるのでここでの説明は省略する。
【００８４】
ミラー制御回路１７７は、メインミラー１２３及びサブミラー１３２のアップダウン駆動を制御する。測光回路１７８は被写体輝度を測定するＡＥセンサ１３６を制御して、被写体輝度データを得る。ストロボ制御回路１７９はストロボ発光部１８０で発光を行うための充電制御や発光タイミング制御を行う。
【００８５】
次に、本実施形態のカメラシステムの動作について説明する。１Ｒスイッチ１５１がオンされたことが操作スイッチ検出回路１４９を介して検出されると、本体ＣＰＵ１４１は、アダプタＣＰＵ１７１にＡＦ制御信号を送信する。ＡＦ制御信号を受けて、アダプタＣＰＵ１７１は第１の実施形態で説明したものと同様の位相差ＡＦを行う。また、この際、測光回路１７８により測光を行い、被写体輝度データを取得する。
【００８６】
アダプタＣＰＵ１７１からのＡＦ終了信号の受信後に２Ｒスイッチ１５１がオンされたことが操作スイッチ検出回路１４９を介して検出されると、本体ＣＰＵ１４１は、アダプタＣＰＵ１７１に撮影開始信号を送信する。撮影開始信号の受信後、アダプタＣＰＵ１７１は、メインミラー１２３及びサブミラー１３２をアップ状態とするとともに、測光回路１７８で得られた被写体輝度データに基づいて適正露出となる絞り値データを算出してＬＣＰＵ１６１に送信する。ＬＣＰＵ１６１は、絞り駆動回路１６３により絞り１６８を駆動してアダプタＣＰＵ１７１から受信した絞り値まで絞り１６８の絞り込みを行う。その後、アダプタＣＰＵ１７１は、ミラー及び絞り駆動完了信号を本体ＣＰＵ１４１に送信する。
【００８７】
本体ＣＰＵ１４１は、アダプタＣＰＵ１７１からのミラー及び絞り駆動完了信号を受けた場合に、シャッタ制御回路１４６を制御してフォーカルプレンシャッタ１０３を開くとともに、撮像素子制御回路１４４により撮像素子１０４を制御して撮像を行い、撮像により得られた画像データに対して画像処理回路１４７で補正処理や圧縮処理等を施した後、処理後の画像データをＲＡＭ１４３や外部メディアに記憶させる。
【００８８】
ここで、撮影に先だって、カメラ本体１０１の設定で変換アダプタ１２１のストロボ１３７を使用するように選択されている場合には、アダプタＣＰＵ１７１は、適正露出の算出時に、被写体輝度データに基づいてストロボ発光が必要であるかどうかを判断する。ストロボ発光が必要である場合には、カメラ本体１０１の撮像に同期してストロボ制御回路１７９を制御してストロボ発光部１８０を発光させる。
【００８９】
以上の第３の実施形態で説明したような変換アダプタを用いることにより、光学ファインダがなく山登りＡＦ方式のＡＦ制御を行うレンズ交換式一眼カメラを用いて、レンズ交換式一眼レフレックスカメラと同様な操作性で撮影を行うことができるばかりでなく、変換アダプタとカメラ本体の組み合わせを変えることで撮影目的に合った機能や操作性を得ることができるカメラシステムを提供できる。
【００９０】
なお、第３の実施形態の変形例として、変換アダプタ１２１に、レリーズスイッチ、交換レンズ１１１を含むカメラ全体を保持するためのグリップ、カメラ本体１０１の電池１５３とは別の電源等の構成を加えて、撮影時の操作を全て変換アダプタ１２１で行えるようにしても良い。
【００９１】
また、変換アダプタ１２１の構成の組み合わせが異なる、例えば、光学ファイダのみが搭載されているタイプやストロボがないタイプ等の複数の変換アダプタを用意して、撮影目的に応じて使用する変換アダプタを選択できるようにしても良い。
【００９２】
［第４の実施形態］
次に、本発明の第４の実施形態について説明する。図９は、本発明の第４の実施形態に係るカメラシステムの概観図である。なお、図９において、カメラ本体１０１と交換レンズ１１１については、上述の第１の実施形態と同様の構成であるのでここでの説明は省略する。
【００９３】
第４の実施形態における変換アダプタ１２１は、外付けストロボ１３８、及び外付け電源１３９が接続自在である点のみが第３の実施形態と異なる。外付けストロボ１３８、外付け電源１３９は、それぞれ変換アダプタ１２１に対して接続自在に構成されている点を除けば、ストロボ１３７、電池１５３と略同様の構成を有するものである。
【００９４】
次に、本発明の第４の実施形態に係るカメラシステムについて図１０を参照してさらに説明する。図１０は、本発明の第４の実施形態に係るカメラシステムの詳細な構成について示した図である。
【００９５】
第１の実施形態と同様に、変換アダプタ１２１のアダプタ制御回路１２２は、変換アダプタ１２１の制御を司るアダプタＣＰＵ１７１を有している。そして、第４の実施形態のアダプタＣＰＵ１７１には、焦点検出回路１７２、フラッシュＲＯＭ（ＦＲＯＭ）１７３、ＲＡＭ１７４、通信回路１７５、通信ライン１７６、ミラー制御回路１７７、測光回路１７８が接続されている。また、アダプタＣＰＵ１７１には、図示しない電気的接点を介して外付けストロボ１３８のストロボ制御回路１７９、及び外付け電源１３９の電源回路１８１が接続される。
【００９６】
外部照明部としての機能を有する外付けストロボ１３８のストロボ制御回路１７９はストロボ発光部１８０で発光を行うための充電制御や発光タイミング制御を行う。また、外部電源部としての機能を有する外付け電源１３９の電源回路１８１は、装填された電池１８２の電圧の平滑化や昇圧等を行う。
【００９７】
第４の実施形態におけるカメラシステムにおける動作は第３の実施形態で説明したものとほぼ同様である。異なる点はストロボ光の発光を外付けストロボ１３８によって行い、変換アダプタ１２１の電源を外付け電源１３９から供給する点のみである。
【００９８】
以上の第４の実施形態で説明したような変換アダプタを用いることにより、変換アダプタ１２１に、用途に応じた種々のアクセサリ装置を装着して使用することが可能である。これにより、より撮影目的に合った機能や操作性を得ることができるカメラシステムを提供できる。
【００９９】
ここで、第４の実施形態では、変換アダプタ１２１に外付けストロボ１３８と外付け電源１３９とが接続自在な例を示したが、変換アダプタ１２１に接続するアクセサリ装置はこれらに限るものではない。例えば、ケーブルレリーズスイッチやＧＰＳユニット等を接続自在な構成としても良い。
【０１００】
以上実施形態に基づいて本発明を説明したが、本発明は上述した実施形態に限定されるものではなく、本発明の要旨の範囲内で種々の変形や応用が可能なことは勿論である。
【０１０１】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【符号の説明】
【０１０２】
１０１…カメラ本体、１０２…カメラ制御回路、１０３…フォーカルプレンシャッタ、１０４…撮像素子、１０５…表示部、１１１…交換レンズ、１１２…レンズ制御回路、１１３…焦点調節レンズ、１１４…ズームレンズ、１１５…撮影レンズ、１２１…変換アダプタ、１２２…アダプタ制御回路、１２３…メインミラー、１２４…全反射ミラー、１２５…焦点検出ユニット（ＡＦユニット）、１２６…視野マスク、１２７…コンデンサレンズ、１２８…赤外カットフィルタ、１２９…セパレータ絞りマスク、１３０…セパレータレンズ、１３１…焦点検出センサ（ＡＦセンサ）、１３２…サブミラー、１３３…スクリーンマット、１３４…ファインダ光学系、１３５…接眼レンズ、１３６…測光センサ（ＡＥセンサ）、１３７…ストロボ、１３８…外付けストロボ、１３９…外付け電源、１４１…本体ＣＰＵ、１４２…フラッシュＲＯＭ（ＦＲＯＭ）、１４３…ＲＡＭ、１４４…撮像素子制御回路、１４５…ストロボ制御回路、１４６…シャッタ制御回路、１４７…画像処理回路、１４８…表示回路、１４９…操作スイッチ検出回路、１５０…電源回路、１５３…電池、１５４…通信ライン、１６１…レンズＣＰＵ（ＬＣＰＵ）、１６２…ズーム位置検出回路、１６３…絞り駆動回路、１６４…レンズ駆動回路、１６５…レンズ位置検出回路、１６６…ズーム駆動用回転環、１６７…マニュアルフォーカス用回転環（ＭＦ用回転環）、１６９…通信回路、１７１…アダプタＣＰＵ、１７２…焦点検出回路、１７３…ＦＲＯＭ、１７４…ＲＡＭ、１７５…通信回路、１７６…通信ライン、１７７…ミラー制御回路、１７８…測光回路、１７９…ストロボ制御回路、１８０…ストロボ発光部、１８１…電源回路、１８２…電池
【図１】
2010160427.tif 000003
【図２】
2010160427.tif 000004
【図３】
2010160427.tif 000005
【図４】
2010160427.tif 000006
【図５】
2010160427.tif 000007
【図６】
2010160427.tif 000008
【図７】
2010160427.tif 000009
【図８】
2010160427.tif 000010
【図９】
2010160427.tif 000011
【図１０】
2010160427.tif 000012